(57)【特許請求の範囲】
【請求項１】
レセプタクルに先端部を嵌合接続する同軸プラグ部と、両端面に開口部を有し、両端の開口部より突出させるように同軸プラグ部を収納配置するハウジングと、該ハウジング内に位置する上記同軸プラグ部の中間外周部に設けられたセンタリング部材と、該センタリング部材の基部底面を径方向に摺動自在に支持するとともに上記ハウジング内に上記同軸プラグ部の軸方向に移動自在に収納された支持台と、該支持台と上記ハウジング底面との間に配設されるとともに、上記支持台を貫挿した上記同軸プラグ部が軸方向に貫挿せるコイルばねとで構成され、上記コイルばねにより上記同軸プラグ部の先端部方向に向けて軸方向に支持台を付勢したものであって、上記同軸プラグ部の先端部が上記レセプタクルに対して嵌合接続する際及び嵌合接続状態から非嵌合接続状態に戻る際に、上記センタリング部材が径方向に移動したときに、上記センタリング部材において上記ハウジングと摺接する面と上記ハウジングにおいて上記センタリング部材と摺接する面の少なくとも一方の形状を、非嵌合接続状態に戻る際に上記ハウジングの上記開口部に上記センタリング部材が嵌まって上記同軸プラグ部が上記開口部にセンタリングされるように形成したことを特徴とする同軸コネクタプラグ。
【請求項２】
上記センタリング部材を上記同軸プラグ部と一体に設け、上記同軸プラグ部の先端部側に対応する面を平坦面とし、この平坦面に対応する上記ハウジングの開口部周辺の面を、該開口部を中心としたすり鉢状の凹面としたことを特徴とする請求項１記載の同軸コネクタプラグ。
【請求項３】
上記センタリング部材を上記同軸プラグ部と一体に設け、上記同軸プラグ部の先端部側に対応する面部を先端部方向に突出させて上記同軸プラグ部を中心とする円錐状に形成したことを特徴とする請求項１記載の同軸コネクタプラグ。
【請求項４】
上記センタリング部材の基部周部に上記センタリング部材が嵌まり込む上記ハウジングの開口部の径よりも大きな鍔部を突出形成して成ることを特徴とする請求項３記載の同軸コネクタプラグ。
【請求項５】
上記センタリング部材を上記同軸プラグ部と一体に設けられ、上記同軸プラグ部の先端部側に対応する面部を先端部方向に突出させて該同軸プラグ部を中心とする多角錐状に形成したことを特徴とする請求項１記載の同軸コネクタプラグ。
【請求項６】
上記同軸プラグ部の先端部が突出する上記ハウジングの開口部のハウジングの内側に位置する開口内縁にＲ面を形成したことを特徴とする請求項２〜５の何れか記載の同軸コネクタプラグ。
【請求項７】
上記センタリング部材及び上記同軸プラグ部の先端部が突出する開口部を形成しているハウジング部位を金属で形成したことを特徴とする請求項１〜６の何れか記載の同軸コネクタプラグ。
【請求項８】
レセプタクルに先端部を嵌合接続する同軸プラグ部と、両端面に開口部を有し、両端の開口部より突出させるように同軸プラグ部を収納配置するハウジングと、該ハウジング内に位置する上記同軸プラグ部の外周部に設けられたセンタリング部材と、センタリング部の基部に一体に設けられ径方向に移動しないようにハウジングに収納された支持台と、該支持台と上記ハウジング底面との間に配設されるとともに、上記支持台を貫挿した上記同軸プラグ部が軸方向に貫挿せる上記コイルばねとで構成され、上記コイルばねにより上記同軸プラグ部の先端部方向に向けて軸方向に支持台を付勢したものであって、上記同軸プラグ部の先端部が上記レセプタクルに対して嵌合接続する際及び嵌合接続状態から非嵌合接続状態に戻る際に、上記センタリング部材が径方向の移動したときに、上記センタリング部材において上記ハウジングと摺接する面と上記ハウジングにおいて上記センタリング部材と摺接する面の少なくとも一方の形状を、非嵌合接続状態に戻る際に上記ハウジングの上記開口部に上記センタリング部材が嵌まって上記同軸プラグ部が上記開口部にセンタリングされるように形成したことを特徴とする同軸コネクタプラグ。
【発明の詳細な説明】
【０００１】
【発明の属する技術分野】
本発明は、同軸コネクタプラグに関するものである。
【０００２】
【従来の技術】
携帯電話機を自動車に持ち込んで使用する際、携帯電話機と嵌合して運転中においても携帯電話機を持たずに通話できるようにしたハンズフリーキットや携帯電話機を固定する装置が提供されている。図１６はハンズフリーキットのような装置Ａと携帯電話機Ｂとを示しており、装置Ａは筐体１の上面に携帯電話機Ｂを載置する載置部１Ａを設け、この載置部１Ａに携帯電話機Ｂの裏部を載置することで装着固定できるようなっている。また携帯電話機Ｂを載置部１Ａに載置固定すると載置部１Ａに設けた同軸コネクタ２と携帯電話機Ｂの裏部に設けたレセプタクル３とが嵌合接続され、同軸コネクタ２の嵌合接続によりレセプタクル３内では携帯電話機Ｂ側の無線通信部のアンテナ接続部と携帯電話機Ｂ側のアンテナとの間を切り離すと同時にアンテナ接続部を同軸コネクタ２側に接続する回路を構成し、自動車側に設けたアンテナに同軸コネクタ２に接続された同軸ケーブルＣを介して無線通信部のアンテナ接続部を接続することができるようになっている。
【０００３】
図１７は従来使用されている同軸コネクタ２とレセプタクル３との嵌合接続前の状態を示しており、この従来例の同軸コネクタ２はレセプタクル３に嵌合される同軸プラグ部４と、同軸ケーブルＣを同軸プラグ部４の同軸ポスト５に接続するためのケーブル接続部６と、同軸コネクタ２を筐体１に取り付けるための取付部７とを備えている。
【０００４】
取付部７は一端で同軸プラグ部４の外部導体９’に固定され、他端で筐体１に固定された支持部材８に固定された外形が円錐台形状のコイルばね１０を備えるとともに、筐体１の外側に突出する同軸プラグ部４の先部の軸方向変位を制限するために、同軸プラグ部４の取付部７に対する接合端付近に取り付けた環状の部材１１を備えてなり、コイルばね１０を筐体１に形成した取付孔部１２内に収納するとともに、部材１１を取付孔部１２の開口の周辺の筐体１内側面に当接することで、同軸プラグ部４を軸方向及び径方向に変位可能に保持している。尚６５は埃などが取付孔部１２に入るのを防ぐためのフィルム体である。
【０００５】
同軸プラグ部４は中心に上記の同軸ポスト５を内装した誘電体１３とこの誘電体１３を内装した上記外部導体９’とからなる。
【０００６】
ケーブル接続部６は同軸ケーブルＣの誘電体１９の中心に内装された導体２０を収納するための貫通孔２１を有する筒体２２を備え、この筒体２２の外面に同軸ケーブルＣの外被導体２３を収納するようになっている。この外被導体２３は金属環体２４の可塑変形により筒体２２に絞り付けられている。またケーブル接続部６は筒体２２と一体となって筒体２２と直交し同軸プラグ部４の軸方向に延びた通路２５を有するとともに上記貫通孔２１に連結されている導電性ケース部２６を備え、この導電性ケース部２６に上記同軸プラグ部４の端部を嵌合固定し、導電性ケース部２６内に導入された同軸ケーブルＣの導体２０の先端と同軸ポスト５の端部とを半田付けなどにより電気的に接続している。
【０００７】
このように構成された同軸コネクタ２を装着した装置Ａの筐体１の載置台１Ａに携帯電話機Ｂを定位置に載置しようとした場合、携帯電話機Ｂの裏部に設けたレセプタクル３の外部電極体の表面に、底部から表面開口に向けて徐々に内径が拡径するように形成した穴部１４に同軸コネクタ２の同軸プラグ部４の先部が嵌まり、このとき携帯電話機Ｂを載置台１Ａ側に押し付けようとする力により同軸プラグ部４の先部が穴部１４のテーパ面に接触するが、コイルばね１０により軸方向及び径方向に同軸プラグ部４が揺動するため、同軸コネクタ２の衝撃を吸収して損傷の危険を低減することができるのである。
【０００８】
そして同軸プラグ部４の先部が穴部１４の中心底部に設けた嵌合凹部１５に嵌合すると、その底面に露出した可動接点体１６の先端を同軸ポスト５の先端が押すことで可動接点体１６を軸方向に動かしてその可動接点体１６の後端で更に可動ばね板１７を動かし、可動ばね板１７の可動接点１７ａを固定端子１８の接点面から開離させる。可動ばね板１７は携帯電話機Ｂの無線通信部のアンテナ接続部に、固定端子１８は携帯電話機Ｂのアンテナに接続されているため、上記開離によりアンテナが切り離されるとともに無線通信部のアンテナ接続部が可動ばね板１７，可動接点体１６を介して同軸プラグ部４の同軸ポスト５に接続されることで、同軸ケーブルＣを介して自動車側のアンテナに接続されることになる。
【０００９】
【発明が解決しようとする課題】
ところで上記の従来例の同軸コネクタプラグ２は略円錐台形状のコイルばね１０によって軸方向及び径方向のフローティングを行っているが、このような従来例の構成ではコイルばね１０を径方向に撓ませた時にコイルばね１０が捩れるように変形するため、過度な負荷が加わった場合にコイルばね１０が塑性変形し、初期の位置に戻らなくなる恐れがあった。
【００１０】
本発明は、上記の点に鑑みて為されたもので、その目的とするところは、軸方向のみの弾性にて径方向のセンタリングが可能で、しかも弾性を付与するコイルばねが径方向に捩れることがなく、軸方向及び径方向へフローティングさせることができる構造を実現した同軸コネクタプラグを提供することにある。
【００１１】
【課題を解決するための手段】
上記目的を達成するために、請求項１の発明では、レセプタクルに先端部を嵌合接続する同軸プラグ部と、両端面に開口部を有し、両端の開口部より突出させるように同軸プラグ部を収納配置するハウジングと、該ハウジング内に位置する上記同軸プラグ部の中間外周部に設けられたセンタリング部材と、該センタリング部材の基部底面を径方向に摺動自在に支持するとともに上記ハウジング内に上記同軸プラグ部の軸方向に移動自在に収納された支持台と、該支持台と上記ハウジング底面との間に配設されるとともに、上記支持台を貫挿した上記同軸プラグ部が軸方向に貫挿せるコイルばねとで構成され、上記コイルばねにより上記同軸プラグ部の先端部方向に向けて軸方向に支持台を付勢したものであって、上記同軸プラグ部の先端部が上記レセプタクルに対して嵌合接続する際及び嵌合接続状態から非嵌合接続状態に戻る際に、上記センタリング部材が径方向に移動したときに、上記センタリング部材において上記ハウジングと摺接する面と上記ハウジングにおいて上記センタリング部材と摺接する面の少なくとも一方の形状を、非嵌合接続状態に戻る際に上記ハウジングの上記開口部に上記センタリング部材が嵌まって上記同軸プラグ部が上記開口部にセンタリングされるように形成したことを特徴とする。
【００１２】
請求項２の発明では、請求項１の発明において、上記センタリング部材を上記同軸プラグ部と一体に設け、上記同軸プラグ部の先端部側に対応する面を平坦面とし、この平坦面に対応する上記ハウジングの開口部周辺の面を、該開口部を中心としたすり鉢状の凹面としたことを特徴とする。
【００１３】
請求項３の発明では、請求項１の発明において、上記センタリング部材を上記同軸プラグ部と一体に設け、上記同軸プラグ部の先端部側に対応する面部を先端部方向に突出させて上記同軸プラグ部を中心とする円錐状に形成したことを特徴とする。
【００１４】
請求項４の発明は、請求項３の発明において、上記センタリング部材の基部周部に上記センタリング部材が嵌まり込む上記ハウジングの開口部の径よりも大きな鍔部を突出形成して成ることを特徴とする。
【００１５】
請求項５の発明は、請求項１の発明において、上記センタリング部材を上記同軸プラグ部と一体に設けられ、上記同軸プラグ部の先端部側に対応する面部を先端部方向に突出させて該同軸プラグ部を中心とする多角錐状に形成したことを特徴とする。
【００１６】
請求項６の発明は、請求項２〜５の何れかの発明において、上記同軸プラグ部の先端部が突出する上記ハウジングの開口部のハウジングの内側に位置する開口内縁にＲ面を形成したことを特徴とする。
【００１７】
請求項７の発明は、請求項１〜６の何れかの発明において、上記センタリング部材及び上記同軸プラグ部の先端部が突出する開口部を形成しているハウジング部位を金属で形成したことを特徴とする。
【００１８】
請求項８の発明は、レセプタクルに先端部を嵌合接続する同軸プラグ部と、両端面に開口部を有し、両端の開口部より突出させるように同軸プラグ部を収納配置するハウジングと、該ハウジング内に位置する上記同軸プラグ部の外周部に設けられたセンタリング部材と、センタリング部の基部に一体に設けられ径方向に移動しないようにハウジングに収納された支持台と、該支持台と上記ハウジング底面との間に配設されるとともに、上記支持台を貫挿した上記同軸プラグ部が軸方向に貫挿せる上記コイルばねとで構成され、上記コイルばねにより上記同軸プラグ部の先端部方向に向けて軸方向に支持台を付勢したものであって、上記同軸プラグ部の先端部が上記レセプタクルに対して嵌合接続する際及び嵌合接続状態から非嵌合接続状態に戻る際に、上記センタリング部材が径方向の移動したときに、上記センタリング部材において上記ハウジングと摺接する面と上記ハウジングにおいて上記センタリング部材と摺接する面の少なくとも一方の形状を、非嵌合接続状態に戻る際に上記ハウジングの上記開口部に上記センタリング部材が嵌まって上記同軸プラグ部が上記開口部にセンタリングされるように形成したことを特徴とする。
【００１９】
【発明の実施の形態】
以下本発明を実施形態により説明する。
（実施形態１）
図１は例えば自動車側に配置されるハンズフリーキットのような装置Ａの筐体１側に設けられる本実施形態の同軸コネクタプラグ２とこれに対応する携帯電話機Ｂの筐体裏部に設けられたレセプタクル３の断面構造を示している。
【００２０】
本実施形態の同軸コネクタプラグ２は同軸プラグ部４と、ケーブル接続部６と、取付部７と、センタリング部材たるセンタリングガイド体３０とから構成される。
【００２１】
同軸プラグ部４は従来例と同様に筒状の外部電極体９と、この外部電極体９内に内装された誘電体１３と、この誘電体１３に包まれるように誘電体１３の中心に内装された同軸ポスト５とからなり、外部電極体９の先端部の開口端よりやや内側に誘電体１３の先端面を位置させ、この先端面より突出した同軸ポスト５の先端面の位置を外部電極体９の先端面と同一位置としてある。また外部電極体９の先端部には等間隔に図２に示すように４カ所割溝２７を形成してある。
【００２２】
センタリングガイド体３０は同軸プラグ部４の軸方向の略中央部に被挿されて固定される。このセンタリングガイド体３０は図１において同軸プラグ部４を中心としてその先端部側の面が傾斜面３１となった略円錐状に形成された金属体からなり、後述する同軸プラグ部４のセンタリングガイドを行うためのものである。
【００２３】
ケーブル接続部６は同軸ケーブルＣの誘電体１９を収納するための貫通孔２８を有する金属製の筒体２９を備え、この筒体２９の先端を先細りに形成して同軸ケーブルＣの外被導体２３と絶縁外被３２との間に圧入するとともに、外被導体２３を筒体２９の外面に被せ、更に金属環体３３の可塑変形により筒体２９に絶縁チューブ３４を介して絞り付けている。
【００２４】
またケーブル接続部６は筒体３３と一体に形成され、筒体３３と直交し同軸プラグ部４の軸方向の両端面が開口し且つ貫通孔２８に連通した空洞部３５を有したケース部３６を備えている。
【００２５】
同軸プラグ部４はケース部３６の一方の開口部３７より同軸ポスト５の端部に設けた導体接続部５Ａを空洞部３５内に臨ませ、また開口部３７を同軸プラグ部４の誘電体１３の端部の外向き突出部１３ａで閉塞し、更に外部電極体９の端部より外向きに突出させた突出片９ａをケース部３６の外面に設けた固定部３８の溝３９に嵌めてケース部３６に固定してある。
【００２６】
空洞部３５内に臨んだ導体接続部５Ａは空洞部３５内において同軸ケーブルＣの導体２０の先端が半田付けされ、これにより同軸ケーブルＣの導体２０を介して同軸ポスト５がアンテナに接続される。この場合の半田付けの作業は上記開口部３７とは反対側の面に開口した開口部４０から行われ、半田付け終了後、開口部４０は蓋４１により閉塞される。
【００２７】
取付部７は合成樹脂製或いは金属製の有底円筒状のケース４２と、図１においてケース４２の上部に被る有底の円筒状の金属製の蓋体４３とで構成されるハウジングと、外形が円筒状のコイルばね４４と、同軸プラグ部４に固定されているセンタリングガイド体３０を摺動自在に支持する金属製の支持台４５とで構成される。
【００２８】
ケース４２は蓋体４３が被さる側とは反対側の底部に形成した開口部４６近傍の内面に内向き鍔４７を突出し、この内向き鍔部４７の上にコイルばね４４の広い径となった一端部を載置してコイルばね４４を収納する。支持台４５は、コイルばね４４の他端部上に載置され、コイルばね４４の軸方向の伸縮に応じてケース４２内を移動するようになっている。
【００２９】
支持台４５は周縁より図１において下向き側周壁４５ａを突出させており、この側周壁４５ａが平行するケース４２の側周壁４２ａに摺接するように移動自在にケース４２内に収納されるため、支持台４５に斜めの力が加わっても傾くことなく軸方向にスムースに移動できるようになっている。
【００３０】
また側周壁４５ａと支持台４５の平面部で囲まれる凹部４５ｂにコイルばね４４の一端部を収納することで、コイルばね４４及び支持台４５をケース４２に組み込む際にコイルばね４４が径方向に動かないようにし、組立性の向上を図っている。
【００３１】
ここでセンタリングガイド体３０を固定した同軸プラグ部４を取付部４のケース４２の開口部４６と、蓋体４３側の開口部４８とに貫挿させるのは上記のようにケーブル接続部６に連結する前に行う。つまりセンタリングガイド体３０の基部の外径は支持台４５の中心孔４５ｃの内径よりも大きくしてあってこの中心孔４５ｃの周辺の支持台４５上面にセンタリングガイド体３０の基部底面を当接させながら同軸プラグ部４の後部を支持台４５の中心孔４５ｃとコイルばね４４の中心とを貫挿させてケース４２の開口部４６よりケース４２外に出し、この状態で上記のケース部３６での連結を行うのである。
【００３２】
この状態で蓋体４３をケース４２に被せて同軸プラグ部４を蓋体４３の開口部４８を介して外方へ突出させ、開口部４８内にセンタリングガイド体３０の傾斜面３１を嵌めれば図２に示す本実施形態の同軸コネクタプラグ２が完成される。
【００３３】
ここで蓋体４３の開口部４８の孔形状はセンタリングガイド体３０の基部の平面断面形状と略同じ形に形成しており、コイルばね４４のばね付勢により支持台４５を介してセンタリングガイド体３０の基部底面が押し上げられ、この押し上げにより同軸プラグ部４が先端部に向けて軸方向に変位し、接続部４の取付部７側の面がケース４２の端面（底面）に当接してそれ以上の移動が制限された状態の位置でセンタリングガイド体３０の傾斜面３１が蓋体４３よりも外部に突出するのである。
【００３４】
このように構成された同軸コネクタプラグ２を装置Ａの筐体１の取付孔部４９に組み付ける場合には、蓋体４３を取り外した状態で、筐体１の内側の開口部４６より取付孔部４９内に、同軸プラグ部４の先部側を挿入するとともにケース４２を挿入する。
【００３５】
ケース４２の周面には外向き鍔５０を一体に形成しており、またこの外向き鍔５０に対応して取付孔部４９の内面には内向き鍔５１を一体突設しており、この内向き鍔５１にケース４２の外向き鍔５０の下面（図１において）を当接させる。そして取付孔４９の筐体１外側の孔部は、蓋体４３の周壁に所定間隔で切り起こしにより形成した先端が外向きに突出せる傾斜突片５２が通る内径を持っており、この孔部内に筐体１外側から蓋体４３を挿入して、傾斜突片５１の先端が上記内向き鍔５１の上面（図１において）に当たる位置まで、ケース４２に被せる。これにより取付孔部４９の内向き鍔５１を蓋体４３の傾斜突片５２の先端と、ケース４２の外向き鍔５０とで挟持する形で取付孔４２内に同軸コネクタプラグ２が図３に示すように固定されることになる。
【００３６】
ここで携帯電話機Ｂ側に設けられるレセプタクル３は図４に示すようにカバー６０と、カバー６０内に収納されるベース６１とから本体が構成され、携帯電話機Ｂのケース６２に設けられた取付孔部５３内に配設される。取付孔部５３の外側開口に臨むようにカバー６０の表面には、底部から表面開口に向けて徐々に内径が拡径するように形成した穴部５４が設けられ、この穴部５４の中心底部に設けられた、同軸コネクタプラグ２の同軸プラグ部４の先部を嵌合するための嵌合凹部５５の孔５５ａよりベース６１側に設けられた可動ばね板５６の先端に設けられた接触片５７が露出され、この接触片５７に同軸プラグ部４の先端に臨んだプラグポスト５の先端が押接するようになっている。可動ばね板５６は基部がベース６１に固定され、その中央部に逆Ｌ状片を切り起こし、その逆Ｌ状片の先端横片で上記接触片５７を構成している。また可動ばね板５６はその自由端の下面（図４において）に可動接点５８を設け、同軸コネクタプラグ２が嵌合接続されない状態において、ベース６１に固定されている固定端子板５９の先端の接点面に可動接点５８を可動ばね板５６の弾性により弾接させ、可動ばね板５６に接続される無線通信部（図示せず）と、固定端子板５９に接続されるアンテナとの間を電気的に接続するようになっている。
【００３７】
次に本実施形態を設けた装置Ａの筐体１の載置台１Ａに上記レセプタクル３を設けた携帯電話機Ｂを載置する際、及び外す場合について図５〜図７により説明する。
【００３８】
まず携帯電話機Ｂを載置台１Ａに載置する場合、携帯電話機Ｂを載置台１Ａの所定位置に持っていき（図５（ａ））、上方から押さえ付けるようにして携帯電話機Ｂを下方へ移動させる。この際同軸コネクタプラグ２の同軸プラグ部４の先部がレセプタクル３のカバー６０の穴部５４のテーパ面にまず接触し（図６（ａ））、このテーパ面から同軸プラグ部４に径方向の力が働くとともに、下向きの軸方向の力が働くことになる。下向きの力により同軸コネクタプラグ２はコイルばね４４のばね付勢に抗して下方へ押し下げられ（図５（ｂ））、同時に径方向の力によりセンタリングガイド体３０がその傾斜面３１を蓋体４３の開口部４８の開口縁に摺接させながら支持台４５の上面を径方向の力の向きへ摺動する（図６（ｂ））。これにより同軸プラグ部４の先部がレセプタクル３のカバー６０の穴部５４のテーパ面に沿って嵌合凹部５５に嵌まり込み、同軸プラグ部４のプラグポスト５の先端面がレセプタクル３の可動ばね板５６の接触片５７に接触して、接触片５７を図において上方へ押して可動ばね板５６をその固定端を中心として撓ませ、自由端側の可動接点５８を固定端子板５９の接点面より開離させ、アンテナを無線通信部より切り離す。
【００３９】
更に携帯電話機Ａを筐体１の載置台１Ａ側に押し下げると（図５（ｃ））、携帯電話機Ａが筐体１の載置台１Ａの所定位置に固定手段（図示せず）によりロックされ、同軸プラグ部４のプラグポスト５の先端に対するレセプタクル３の可動ばね板５６の接触片５７の接触を保持するとともに、可動接点５８と固定端子板５９の接点面との開離状態を保持する。
【００４０】
次にロック状態にある携帯電話機Ａを筐体１の載置台１Ａから取り外す際には、携帯電話機Ａを上方へ持ち上げることになるが、この際コイルばね４４の上向きの軸方向の力により同軸コネクタプラグ２は図７（ａ）（ｂ）に示すように上方へ移動して元の位置へ復帰する。この取り外しの際に径方向の力が加わって、センタリングガイド体３０が支持台４５上を摺動してその傾斜面３１が蓋体４３の開口部４８の下側開口縁に接触する状態にあっても、押し付け力が無くなると、コイルばね４４の軸方向のばね付勢によりセンタリングガイド体３０がその傾斜面３１を蓋体４３の開口部の下側開口縁に接触させながら支持台４５上を中心方向に摺動して、やがてセンタリングガイド体３０が蓋体４３の開口部４８に嵌まり込み、図６（ｃ）に示すように同軸プラグ部４を該開口部４８の中心から筐体１外へ突出する所定位置に戻ることになる。
（実施形態２）
上記実施形態１は円錐状に形成したセンタリングガイド体３０を同軸プラグ部４の外部電極体９とは別体に形成して同軸プラグ部４を中心部に貫挿させ、同軸プラグ部４に固定したものであるが、本実施形態は同軸プラグ部４の外部電極体９と一体にセンタリングガイド体３０を形成するとともに、その形状を図８に示すように上面が平坦面である円盤状とし、一方このセンタリングガイド体３０が径方向に支持台４５上を摺動する際にセンタリングガイド体３０のエッジ部位が摺接する蓋体４３の内側の開口部４８の開口周辺の面を開口部４８を中心とするすり鉢状の凹面６２に形成したものである。
【００４１】
このように構成することで、センタリングガイド体３０の形状が単純化されて同軸プラグ部４の外部電極体９との一体化加工を容易としている。
【００４２】
尚その他の構成は実施形態１と同じであるので説明は省略する。
（実施形態３）
上記実施形態１は円錐状に形成したセンタリングガイド体３０を同軸プラグ部４の外部電極体９とは別体に形成して同軸プラグ部４を中心部に貫挿させ、同軸プラグ部４に固定したものであるが、本実施形態は図９に示すように同軸プラグ部４の外部電極体９と一体にセンタリングガイド体３０を形成したものである。
【００４３】
本実施形態によれば、同軸プラグ部４の外部電極体９との一体化加工により部品点数、工数の削減が図れ、しかも蓋体４３の厚みを実施形態１と同様に薄くすることができる。
【００４４】
尚その他の構成は実施形態１と同じであるので説明は省略する。
（実施形態４）
本実施形態は実施形態３の構成に加えて、図１０に示すようにセンタリングガイド体３０の基部外周面に外方向に鍔部６３を一体突出したもので、同軸プラグ部４のレセプタクル３への非嵌合接続時に鍔部６３の平面を蓋体４３の内側の開口部４８の開口周辺の平面に面接触させる構成としている。
【００４５】
本実施形態の構成によれば、実施形態３の利点に加えて、開口部４８の摩耗、変形を防止することができる。
【００４６】
尚その他の構成は実施形態１と同じであるので説明は省略する。
（実施形態５）
実施形態１或いは３，４はセンタリングガイド体３０の形状が図１１（ａ）（ｂ）に示す円錐状であったが、本実施形態は図１２（ａ）（ｂ）に示すように多角錐状に形成したもので、径方向の摺動時に蓋体４３の開口部４８の開口縁に点接触することになり、摩耗の減少が図れる。
【００４７】
またその他の構成は図１３に示すように実施形態１と同じであるので説明は省略する。
【００４８】
尚この多角錐状を実施形態３或いは４の構造に採用しても良い。
（実施形態６）
本実施形態６は図１４に示すように蓋体４３の開口部４８の内側の開口縁にＲ面６４を形成し、センタリングガイド体３０の傾斜面３１との摺接をスムースにしてスムースなセンタリングを可能としている。
【００４９】
またその他の構成は実施形態１と同じであるので説明は省略する。
【００５０】
尚本実施形態の構成は実施形態２〜５に適用しても良い。
【００５１】
ところで上記実施形態１〜６ではセンタリングガイド体３０及び蓋体４３を金属で構成することで蓋体４３の開口部４８とセンタリングガイド体３０の繰り返し接触による摩耗・変形を防ぐようにしてある。勿論摩耗、変形に対する対策の要求度が低い場合にはこれら部品を合成樹脂成形品で代用させても良い。
（実施形態７）
上記実施形態１乃至６はセンタリングガイド体３０と支持台４５とが別体であったが、本実施形態は図１５に示すように図においてセンタリングガイド体３０にコイルばね４４の付勢を受ける支持台４５を一体とするとともにセンタリングガイド体３０の上端には同軸プラグ部４を貫挿させる筒部３０ａを一体に形成した点に特徴があり、取付部７のケース４２内で支持台４５が水平方向に動かないように収納され、同軸プラグ部４の先端のフローティングは、コイルばね４４による支持台４５を含むセンタリングガイド体３０の傾きにより行うようにしてある。
【００５２】
つまり、上記実施形態１乃至６では同軸コネクタプラグ２に同軸ケーブルＣが接続され、同軸ケーブルＣによるテンションが同軸コネクタプラグ２に加わって、センタリングガイド体３０が支持台４５上を摺動し、結果センターに戻らないことが生じる恐れがあるが、本実施形態の構成では、図示するように同軸コネクタプラグ２に同軸ケーブルＣが接続され、同軸ケーブルＣによって、図示する矢印イ方向にテンションがかかっても、同軸プラグ部４を保持するセンタリングガイド体３０の支持台４５が水平方向には移動しないため、センタリングガイド体３０は同軸ケーブルＣのテンションがかかってもセンター位置を維持し、その結果同軸プラグ部４のセンター位置が保持される。尚図中αは同軸プラグ部４の先端部の可動範囲を示す。
【００５３】
また実施形態１乃至６と同じ構成には同じ符号を付し説明は省略する。
【００５４】
【発明の効果】
請求項１の発明は、レセプタクルに先端部を嵌合接続する同軸プラグ部と、両端面に開口部を有し、両端の開口部より突出させるように同軸プラグ部を収納配置するハウジングと、該ハウジング内に位置する上記同軸プラグ部の中間外周部に設けられたセンタリング部材と、該センタリング部材の基部底面を径方向に摺動自在に支持するとともに上記ハウジング内に上記同軸プラグ部の軸方向に移動自在に収納された支持台と、該支持台と上記ハウジング底面との間に配設されるとともに、上記支持台を貫挿した上記同軸プラグ部が軸方向に貫挿せるコイルばねとで構成され、上記コイルばねにより上記同軸プラグ部の先端部方向に向けて軸方向に支持台を付勢したものであって、上記同軸プラグ部の先端部が上記レセプタクルに対して嵌合接続する際及び嵌合接続状態から非嵌合接続状態に戻る際に、上記センタリング部材が径方向に移動したときに、上記センタリング部材において上記ハウジングと摺接する面と上記ハウジングにおいて上記センタリング部材と摺接する面の少なくとも一方の形状を、非嵌合接続状態に戻る際に上記ハウジングの上記開口部に上記センタリング部材が嵌まって上記同軸プラグ部が上記開口部にセンタリングされるように形成したので、コイルばねには軸方向の負荷しか加わらず径方向に捩れることが無いため、コイルばねの変形の恐れがないという効果がある。
【００５５】
請求項２の発明では、請求項１の発明において、上記センタリング部材を上記同軸プラグ部と一体に設け、上記同軸プラグ部の先端部側に対応する面を平坦面とし、この平坦面に対応する上記ハウジングの開口部周辺の面を、該開口部を中心としたすり鉢状の凹面としたので、センタリング部材の形状が単純化され、そのためセンタリング部材と同軸プラグ部との一体化加工が容易となる。
【００５６】
請求項３の発明では、請求項１の発明において、上記センタリング部材を上記同軸プラグ部と一体に設け、上記同軸プラグ部の先端部側に対応する面部を先端部方向に突出させて上記同軸プラグ部を中心とする円錐状に形成したので、同軸プラグ部とセンタリング部材との一体化加工により部品点数、工数の削減が図れ、しかもハウジングの厚みを薄くすることができる。
【００５７】
請求項４の発明は、請求項３の発明において、上記センタリング部材の基部周部に上記センタリング部材が嵌まり込む上記ハウジングの開口部の径よりも大きな鍔部を突出形成したので、開口部の摩耗、変形を防止することができる。
【００５８】
請求項５の発明は、請求項１の発明において、上記センタリング部材を上記同軸プラグ部と一体に設けられ、上記同軸プラグ部の先端部側に対応する面部を先端部方向に突出させて該同軸プラグ部を中心とする多角錐状に形成したので、径方向の摺動時にハウジングの開口部の開口縁に点接触することになり、摩耗の減少が図れる。
【００５９】
請求項６の発明は、請求項２〜５の何れかの発明において、上記同軸プラグ部の先端部が突出する上記ハウジングの開口部のハウジングの内側の開口内縁にＲ面を形成したので、ハウジングの開口部の摩耗、変形を防止することができる。
【００６０】
請求項７の発明は、請求項１〜６の何れかの発明において、上記センタリング部材及び上記同軸プラグ部の先端部が突出する開口部を形成しているハウジング部位を金属で形成したので、ハウジングの開口部とセンタリング部材の繰り返し接触による摩耗・変形を防ぐことができる。
【００６１】
請求項８の発明は、
レセプタクルに先端部を嵌合接続する同軸プラグ部と、両端面に開口部を有し、両端の開口部より突出させるように同軸プラグ部を収納配置するハウジングと、該ハウジング内に位置する上記同軸プラグ部の外周部に設けられたセンタリング部材と、センタリング部の基部に一体に設けられ径方向に移動しないようにハウジングに収納された支持台と、該支持台と上記ハウジング底面との間に配設されるとともに、上記支持台を貫挿した上記同軸プラグ部が軸方向に貫挿せる上記コイルばねとで構成され、上記コイルばねにより上記同軸プラグ部の先端部方向に向けて軸方向に支持台を付勢したものであって、上記同軸プラグ部の先端部が上記レセプタクルに対して嵌合接続する際及び嵌合接続状態から非嵌合接続状態に戻る際に、上記センタリング部材が径方向の移動したときに、上記センタリング部材において上記ハウジングと摺接する面と上記ハウジングにおいて上記センタリング部材と摺接する面の少なくとも一方の形状を、非嵌合接続状態に戻る際に上記ハウジングの上記開口部に上記センタリング部材が嵌まって上記同軸プラグ部が上記開口部にセンタリングされるように形成したので、コイルばねには軸方向の負荷しか加わらず径方向に捩れることが無いため、コイルばねの変形の恐れがないという効果があり、しかも接続される同軸ケーブルによって、テンションがかかっても、同軸プラグ部を保持するセンタリングガイド体と一体の支持台が径方向には移動しないため、センタリングガイド体をセンター位置に維持することができ、その結果同軸プラグ部のセンター位置が保持されるという効果がある。
【図面の簡単な説明】
【図１】本発明の一実施形態とレセプタクルとの嵌合接続状態の断面図である。
【図２】（ａ）は同上の上面図である。
（ｂ）は同上の側面図である。
（ｃ）は同上の下面図である。
【図３】同上の筐体への取付状態を示す側断面図である。
【図４】同上に対応するレセプタクルの断面図である。
【図５】同上のレセプタクルへの嵌合接続時の軸方向への動きを示す説明図である。
【図６】同上のレセプタクルへの嵌合接続及びレセプタクルからの取り外し時の径方向への動きを示す説明図である。
【図７】同上のレセプタクルからの取り外し時の軸方向の動きを示す説明図である。
【図８】本発明の実施形態２の一部省略せる側断面図である。
【図９】本発明の実施形態３の一部省略せる側断面図である。
【図１０】本発明の実施形態４の一部省略せる側断面図である。
【図１１】（ａ）は円錐状のセンタリングガイド体の上面図である。
（ｂ）は円錐状のセンタリングガイド体の正面図である。
【図１２】（ａ）は本発明の実施形態５の多角錐状のセンタリングガイド体の上面図である。
（ｂ）は同上の多角錐状のセンタリングガイド体の正面図である。
【図１３】同上の一部省略せる側断面図である。
【図１４】本発明の実施形態６の一部省略せる側断面図である。
【図１５】（ａ）は本発明の実施形態７の側面図である。
（ｂ）は同上の側断面図である。
（ｃ）は同上の上面図である。
【図１６】同軸コネクタプラグ及びレセプタクルの使用例の説明図である。
【図１７】従来例のレセプタクルとの嵌合接続状態の断面図である。
【符号の説明】
１  筐体
２  同軸コネクタプラグ
３  レセプタクル
４  同軸プラグ部
５  プラグポスト
３０  センタリングガイド体
３１  傾斜面
４２  ケース
４２  側周壁
４３  蓋体
４４  コイルばね
４５  支持台
４５ａ  側周壁
４５ｂ  凹部
４６．４８  開口部
【図１】
0003994634.tif 000002
【図２】
0003994634.tif 000003
【図３】
0003994634.tif 000004
【図４】
0003994634.tif 000005
【図５】
0003994634.tif 000006
【図６】
0003994634.tif 000007
【図７】
0003994634.tif 000008
【図８】
0003994634.tif 000009
【図９】
0003994634.tif 000010
【図１０】
0003994634.tif 000011
【図１１】
0003994634.tif 000012
【図１２】
0003994634.tif 000013
【図１３】
0003994634.tif 000014
【図１４】
0003994634.tif 000015
【図１５】
0003994634.tif 000016
【図１６】
0003994634.tif 000017
【図１７】
0003994634.tif 000018